(57)【要約】【課題】ヘルメットのサイズに合わせて容易にサイズを変更することができるヘルメットの冷却カバーを提供すること。【解決手段】冷却カバー１０は複数の扇形分割体１０２からなるカバー本体１０２を備えている。扇形分割体１０２は２つの直線部１０２２と円弧部１０２４とを有している。扇形分割体１０２は、ヘルメット２０の外面に接触される保水材１０１０と、保水材１０１０を支持し保護する支持材１０１２とで構成されている。複数の扇形分割体１０２は、それらの頂点１０２６付近の直線部１０２２部分が相互に連結されると共に、残りの直線部部分１０２２は互いに切り離されている。複数の扇形分割体１０２をヘルメット２０に被せ、各扇形分割体１０２をヘルメット２０の外周縁側に展開させると、複数の扇形分割体１０２でヘルメット２０の外面全域を覆う装着状態が形成される。【選択図】図１
2015074834.tif 000002
【特許請求の範囲】
【請求項１】
ヘルメットの外面全域を覆い前記ヘルメット内の温度を低下させるヘルメットの冷却カバーであって、
頂点から延在する２つの直線部と前記直線部の端部を接続する円弧部によって構成される複数の扇形分割体からなるカバー本体を備え、
前記扇形分割体は、前記ヘルメットの外面に接触される内面とその反対の外面を有する保水材と、通気性を有し前記保水材の外面に配置され前記保水材を支持し保護する支持材とで構成され、
前記複数の扇形分割体は、それらの前記頂点付近の前記直線部部分が相互に連結されると共に、残りの前記直線部部分は互いに切り離され、
前記複数の扇形分割体の前記頂点部分を前記ヘルメットの外面の中央に位置させて前記複数の扇形分割体を前記ヘルメットの外周縁側に展開させると、前記複数の扇形分割体で前記ヘルメットの外面全域を覆う前記冷却カバーの装着状態が形成され、
前記冷却カバーの装着状態で、前記複数の扇形分割体を前記ヘルメットの外面に接触する方向に付勢する付勢部材が設けられている、
ことを特徴とするヘルメットの冷却カバー。
【請求項２】
前記ヘルメットの大きさが大きくなるほど、前記冷却カバーの装着状態で隣り合う前記扇形分割体の前記直線部分どうしが重なり合う部分が小さくなると共に、前記円弧部の長手方向の端部どうしが重なり合う部分が小さくなり、かつ、前記ヘルメットの大きさが小さくなるほど、前記冷却カバーの装着状態で隣り合う前記扇形分割体の前記直線部分どうしが重なり合う部分が大きくなると共に、前記円弧部の長手方向の端部どうしが重なり合う部分が大きくなる、
ことを特徴とする請求項１記載のヘルメットの冷却カバー。
【請求項３】
前記カバー本体は、前記冷却カバーの装着状態で、前記ヘルメットの前部に位置する前扇形分割体と、前記ヘルメットの後部に位置する後扇形分割体と、前記ヘルメットの左右側部に位置する左右の扇形分割体との４つの扇形分割体で構成され、
前記付勢部材は２つ設けられ、
各付勢部材は、前記冷却カバーの装着状態で、それぞれ互いに対向する一対の前記扇形分割体の円弧部の両端にわたって延在すると共にその延在方向の両端がそれらの箇所に取着され、かつ、その延在方向の中心部が前記一対の前記扇形分割体の間に位置する前記扇形分割体の前記円弧部の長さの中心の前記円弧部の箇所に取着され、
前記各付勢部材は、前記冷却カバーの装着状態で、前記ヘルメットの外面により引き伸ばされるように構成されている、
ことを特徴とする請求項１または２記載のヘルメットの冷却カバー。
【請求項４】
前記付勢部材は前記扇形分割体の内面に配置されている、
ことを特徴とする請求項３記載のヘルメットの冷却カバー。
【請求項５】
前記ヘルメットの左右側部に脱落防止の顎紐が設けられており、
前記冷却カバーの装着状態で、前記ヘルメットの左右側部に位置する前記扇形分割体に、前記顎紐の内側を通って前後方向に延在し前記ヘルメットからの前記冷却カバーの脱落を防止する脱落防止部材が設けられ、
前記脱落防止部材は、左脱落防止部材と右脱落防止部材とで構成され、
前記左脱落防止部材は、前記前扇形分割体の前記円弧部の左後部と前記後扇形分割体の前記円弧部の左前部とにそれぞれ取着されそれらの先部に互いに係脱可能に係合する係合部が設けられた可撓可能な一対の細長状部材で構成され、
前記右脱落防止部材は、前記前扇形分割体の前記円弧部の右後部と前記後扇形分割体の前記円弧部の右前部とにそれぞれ取着されそれらの先部に互いに係脱可能に係合する係合部が設けられた可撓可能な一対の細長状部材で構成されている、
ことを特徴とする請求項３または４記載のヘルメットの冷却カバー。
【請求項６】
前記係合部は前記細長状部材の長さ方向に沿った長さを有する面ファスナーで構成されている、
ことを特徴とする請求項５記載のヘルメットの冷却カバー。
【発明の詳細な説明】
【技術分野】
【０００１】
本発明は、ヘルメットの冷却カバーに関する。
【背景技術】
【０００２】
従来、ヘルメット装着時における頭部の温度上昇を抑えるための冷却カバーが提案されている（たとえば、下記特許文献１参照）。下記特許文献１では、人体の頭部保護用のヘルメットのほぼ全体を包むキャップと、このキャップに着脱自在に取り付けられ後頭部から首回りまでを覆うフードそれぞれを通気性の面材と非透水性の内皮材との積層体とし、これらの面材と内皮材との間に吸水性高分子材を封入し、この吸水性高分子材に水を含浸させた後の気化による気化熱によって人体頭部及び首回りの冷却を可能としている。
【先行技術文献】
【特許文献】
【０００３】
【特許文献１】特開平１０−２９８８１５号公報
【発明の概要】
【発明が解決しようとする課題】
【０００４】
ヘルメットには、使用者の頭部の大きさに合わせて、例えば、ＬＬ、Ｌ、М、Ｓなど複数種類のサイズがある。また、メーカーやデザインが異なるとヘルメットの大きさも異なる。ヘルメットに対してサイズの合わない冷却カバーを使用すると、ずれや脱落が生じ、冷却カバーの機能を果たせない可能性がある。そのため、使用者は、冷却カバーも、ヘルメットに合ったサイズのものを用意する必要がある。一方で、各種メーカー、各種デザインのヘルメットを複数所有している場合、ヘルメットの使用者は、複数のヘルメット毎に冷却カバーを用意しなければならず、管理面などで負担が生じる。
【０００５】
本発明は、上述した従来技術の問題点に鑑みてなされたものであり、ヘルメットのサイズに合わせて容易にサイズを変更することができるヘルメットの冷却カバーを提供することを目的とする。
【課題を解決するための手段】
【０００６】
上述した問題を解決し、目的を達成するため、請求項１記載の発明は、ヘルメットの外面全域を覆い前記ヘルメット内の温度を低下させるヘルメットの冷却カバーであって、頂点から延在する２つの直線部と前記直線部の端部を接続する円弧部によって構成される複数の扇形分割体からなるカバー本体を備え、前記扇形分割体は、前記ヘルメットの外面に接触される内面とその反対の外面を有する保水材と、通気性を有し前記保水材の外面に配置され前記保水材を支持し保護する支持材とで構成され、前記複数の扇形分割体は、それらの前記頂点付近の前記直線部部分が相互に連結されると共に、残りの前記直線部部分は互いに切り離され、前記複数の扇形分割体の前記頂点部分を前記ヘルメットの外面の中央に位置させて前記複数の扇形分割体を前記ヘルメットの外周縁側に展開させると、前記複数の扇形分割体で前記ヘルメットの外面全域を覆う前記冷却カバーの装着状態が形成され、前記冷却カバーの装着状態で、前記複数の扇形分割体を前記ヘルメットの外面に接触する方向に付勢する付勢部材が設けられていることを特徴とする。
また、請求項２記載の発明は、前記ヘルメットの大きさが大きくなるほど、前記冷却カバーの装着状態で隣り合う前記扇形分割体の前記直線部分どうしが重なり合う部分が小さくなると共に、前記円弧部の長手方向の端部どうしが重なり合う部分が小さくなり、かつ、前記ヘルメットの大きさが小さくなるほど、前記冷却カバーの装着状態で隣り合う前記扇形分割体の前記直線部分どうしが重なり合う部分が大きくなると共に、前記円弧部の長手方向の端部どうしが重なり合う部分が大きくなることを特徴とする。
また、請求項３記載の発明は、前記カバー本体は、前記冷却カバーの装着状態で、前記ヘルメットの前部に位置する前扇形分割体と、前記ヘルメットの後部に位置する後扇形分割体と、前記ヘルメットの左右側部に位置する左右の扇形分割体との４つの扇形分割体で構成され、前記付勢部材は２つ設けられ、各付勢部材は、前記冷却カバーの装着状態で、それぞれ互いに対向する一対の前記扇形分割体の円弧部の両端にわたって延在すると共にその延在方向の両端がそれらの箇所に取着され、かつ、その延在方向の中心部が前記一対の前記扇形分割体の間に位置する前記扇形分割体の前記円弧部の長さの中心の前記円弧部の箇所に取着され、前記各付勢部材は、前記冷却カバーの装着状態で、前記ヘルメットの外面により引き伸ばされるように構成されていることを特徴とする。
また、請求項４記載の発明は、前記付勢部材は前記扇形分割体の内面に配置されていることを特徴とする。
また、請求項５記載の発明は、前記ヘルメットの左右側部に脱落防止の顎紐が設けられており、前記冷却カバーの装着状態で、前記ヘルメットの左右側部に位置する前記扇形分割体に、前記顎紐の内側を通って前後方向に延在し前記ヘルメットからの前記冷却カバーの脱落を防止する脱落防止部材が設けられ、前記脱落防止部材は、左脱落防止部材と右脱落防止部材とで構成され、前記左脱落防止部材は、前記前扇形分割体の前記円弧部の左後部と前記後扇形分割体の前記円弧部の左前部とにそれぞれ取着されそれらの先部に互いに係脱可能に係合する係合部が設けられた可撓可能な一対の細長状部材で構成され、前記右脱落防止部材は、前記前扇形分割体の前記円弧部の右後部と前記後扇形分割体の前記円弧部の右前部とにそれぞれ取着されそれらの先部に互いに係脱可能に係合する係合部が設けられた可撓可能な一対の細長状部材で構成されていることを特徴とする。
また、請求項６記載の発明は、前記係合部は前記細長状部材の長さ方向に沿った長さを有する面ファスナーで構成されていることを特徴とする。
【発明の効果】
【０００７】
請求項１記載の発明によれば、冷却カバーは保水材と支持材とからなる複数の扇形分割体で形成されているので、保水材に水を含ませてヘルメットに装着することにより、蒸散熱によりヘルメットの外表面の熱が奪われ、ヘルメット内部の温度上昇が抑制される。これにより、ヘルメットを装着した使用者の高温下における負担を軽減することができる。
請求項２記載の発明によれば、ヘルメットの大きさに合わせて扇形分割体の重なり合う部分の大きさが変化するので、１つの冷却カバーを異なる大きさのヘルメットに装着して使用することができる。
請求項３の発明によれば、付勢部材によって互いに対向する一対の扇形分割体をそれらの円弧部の長手方向に沿って引っ張り、複数の扇形分割体でヘルメットの外面を覆う安定した状態の冷却カバーの装着状態を得る上で有利となり、また、複数の扇形分割体の位置関係を正規の位置関係に維持する上で有利となる。
請求項４の発明によれば、付勢部材は外から見えず、冷却カバーの装着状態における冷却カバーの外観性を高める上で有利となる。
請求項５記載の発明によれば、冷却カバーのヘルメットからの脱落を防止できる。
請求項６記載の発明によれば、左右の脱落防止部材によって前後の扇形分割体をそれらの円弧部の長手方向に沿って引っ張り、安定した状態の冷却カバーの装着状態を得る上で有利となる。
【図面の簡単な説明】
【０００８】
【図１】Ａは冷却カバー１０の正面図、Ｂはヘルメット２０の正面図、Ｃは冷却カバー１０をヘルメット２０に装着した状態の正面図である。
【図２】Ａはヘルメットカバー３０の正面図、Ｂは図１Ｃと同様な図で冷却カバー１０をヘルメット２０に装着した状態の正面図、ＣはＢの状態の冷却カバー１０の上にヘルメットカバー３０を装着した状態の正面図である。
【図３】冷却カバー１０をヘルメット２０に装着した状態の側面図である。
【図４】冷却カバー１０をヘルメット２０に装着し、その上からヘルメットカバー３０を装着した状態の断面正面図である。
【図５】カバー本体１０２を斜め前から見た斜視図である。
【図６】カバー本体１０２を斜め横から見た斜視図である。
【図７】扇形分割体１０２Ａ〜１０２Ｄの円弧部１０２４を合わせ、カバー本体１０２の内部を斜め後ろから見た斜視図である。
【図８】カバー本体１０２の内部を斜め横から見た図であり、扇形分割体１０２Ａ〜１０２Ｄが重力により外側に開いた状態を示した図である。
【図９】扇形分割体１０２の構成を示す断面図である。
【図１０】Ａは扇形分割体１０２の外面の正面図であり、Ｂは扇形分割体１０２の内面の正面図である。
【図１１】ＡはＭサイズのヘルメット２０に装着した状態を想定したカバー本体１０２の正面図、Ｂは同側面図である。
【図１２】ＡはＬサイズのヘルメット２０に装着した状態を想定したカバー本体１０２の正面図、Ｂは同側面図である。
【図１３】Ｍサイズのヘルメット２０に装着した状態を想定したカバー本体１０２の平面図である。
【図１４】Ｍサイズのヘルメット２０に装着した状態を想定したカバー本体１０２の内部の斜視図である。
【図１５】冷却カバー１０の内部を斜め横から見た図であり、扇形分割体１０２Ａ〜１０２Ｄが重力により外側に開き、脱落防止部材１０８の取付状態を示した図である。
【図１６】ヘルメット２０に装着した状態を想定した冷却カバー１０の底面図である。
【図１７】冷却カバー１０の冷却効果に関する実験結果を示すグラフ。
【発明を実施するための形態】
【０００９】
以下に添付図面を参照して、本発明にかかるヘルメットの冷却カバーの好適な実施の形態を詳細に説明する。
図１〜図４は、実施の形態にかかるヘルメットの冷却カバー１０の使用状態を示す説明図である。図１〜４に示すように、冷却カバー１０は、ヘルメット２０の外面全域を覆い、ヘルメット２０内の温度を低下させるために用いられる。
より詳細には、図１Ａに示すように、冷却カバー１０には、左右側部に脱落防止部材１０８が設けられている。また、図１Ｂに示すように、ヘルメット２０には、左右側部に脱落防止の顎紐２２が設けられている。冷却カバー１０の使用時には、図１Ｃおよび図３に示すように、水を含ませた冷却カバー１０をヘルメット２０に被せ、顎紐２２の内側に脱落防止部材１０８を位置させる。なお、顎紐２２と脱落防止部材１０８との関係については、後述する。
図１Ｃに示す状態で使用者がヘルメット２０を被ると、冷却カバー１０に含まれる水が蒸発し、蒸散熱によりヘルメット２０の外表面の熱が奪われる。その結果、ヘルメット２０内部の温度上昇が抑制され、高温下などにおける使用者の負担を軽減することができる。
【００１０】
また、図２に示すように、冷却カバー１０の上からヘルメットカバー３０を被せてもよい。図２Ａに示すように、ヘルメットカバー３０には、ヘルメット２０の用途や使用場所などに合わせた色や柄が付与される。図２Ｃに示すように、冷却カバー１０が装着されたヘルメット２０の上からさらにヘルメットカバー３０を被せることによって、ヘルメット２０の用途に合わせて違和感なく冷却カバー１０を使用することができる。
図４は、ヘルメット２０に冷却カバー１０およびヘルメットカバー３０を被せた場合の断面図である。図４に示すように、冷却カバー１０はヘルメット２０の外面全域を覆っている。さらに、冷却カバー１０の上からヘルメットカバー３０を被せることによって、たとえば炎天下における作業時に直射日光を遮ってヘルメット内の温度上昇を抑制することができる。
【００１１】
つぎに、冷却カバー１０の構成の詳細について説明する。
図５に示すように、冷却カバー１０は、頂点から延在する２つの直線部１０２２と直線部１０２２の端部を接続する円弧部１０２４によって構成される複数の扇形分割体１０２０からなるカバー本体１０２を備えている。
図１、図３に示すように、扇形分割体１０２０の円弧部１０２４はヘルメット２０の外周縁部に沿うように円形になっている。
なお、図４〜図１４において、複数の扇形分割体１０２０からなるカバー本体１０２の構成を明瞭にするため、脱落防止部材１０８を省略している。脱落防止部材１０８は、図１、図２、図３、図１５、図１６に描かれている。
【００１２】
本実施の形態では、カバー本体１０２は、前扇形分割体１０２Ａ、後扇形分割体１０２Ｂ、左扇形分割体１０２Ｃおよび右扇形分割体１０２Ｄの４つの扇形分割体１０２０で構成されている。
より詳細には、前扇形分割体１０２Ａは、冷却カバー１０の装着状態で、ヘルメット２０の前部に位置する。後扇形分割体１０２Ｂは、ヘルメット２０の後部に位置する。左扇形分割体１０２Ｃおよび右扇形分割体１０２Ｄは、ヘルメット２０の左右側部に位置する。また、図１Ｃ、図３に示すように、冷却カバー１０の装着状態で、各扇形分割体１０２Ａ〜１０２Ｄの円弧部１０２４はヘルメット２０の外周縁部に沿って延在している。
【００１３】
図５に示すように、複数の扇形分割体１０２Ａ〜１０２Ｄは、それらの頂点１０２６付近の直線部部分１０２２Ａが相互に連結されると共に、残りの直線部部分１０２２Ｂは互いに切り離されている。前扇形分割体１０２Ａの円弧部１０２４の長手方向に沿った幅と後扇形分割体１０２Ｂの円弧部１０２４の長手方向に沿った幅とは等しい寸法で形成されている。また、左扇形分割体１０２Ｃの円弧部１０２４の長手方向に沿った幅と右扇形分割体１０２Ｄの円弧部１０２４の長手方向に沿った幅とは等しく、前扇形分割体１０２Ａと後扇形分割体１０２Ｂの円弧部１０２４の長手方向に沿った幅よりも小さい寸法で形成されている。複数の扇形分割体１０２Ａ〜１０２Ｄの頂点１０２６部分をヘルメット２０の外面の中央に位置させて複数の扇形分割体１０２Ａ〜１０２Ｄをヘルメット２０の開口側に展開させると、複数の扇形分割体１０２Ａ〜１０２Ｄでヘルメット２０の外面全域を覆う冷却カバー１０の装着状態（カバー本体１０２の装着状態）が形成される（図１Ｃ、図３参照）。
【００１４】
ヘルメット２０には大きさの異なるものが複数あるが、冷却カバー１０はこれら大きさが異なる複数のヘルメット２０に装着可能である。
図１１および図１２は、サイズが異なるヘルメット２０に冷却カバー１０を被せた際の装着状態を示す説明図であり、図１１は、例えば、Ｍサイズのヘルメット２０に、図１２はＬサイズのヘルメット２０に装着したことを想定したカバー本体１０２を描いている。
図１２に示すように、冷却カバー１０は、ヘルメット２０の大きさが大きくなるほど、装着状態で隣り合う扇形分割体１０２Ａ〜１０２Ｄの直線部分１０２２どうしが重なり合う部分１０３０Ａが小さくなると共に、円弧部１０２４の長手方向の端部どうしが重なり合う部分１０３０Ｂが小さくなるように構成されている。
また、図１１に示すように、冷却カバー１０は、ヘルメット２０の大きさが小さくなるほど、装着状態で隣り合う扇形分割体１０２Ａ〜１０２Ｄの直線部分１０２２どうしが重なり合う部分１０３０Ａが大きくなると共に、円弧部１０２４の長手方向の端部どうしが重なり合う部分１０３０Ｂが大きくなるように構成されている。
このように、冷却カバー１０は、ヘルメット２０の大きさに合わせて扇形分割体１０２Ａ〜１０２Ｄの重なり合う部分の大きさが変化するので、１つの冷却カバー１０を異なる大きさのヘルメット１０に装着して使用することができる。
【００１５】
また、図９、図１０に示すように、それぞれの扇形分割体１０２０は、保水材１０１０と、支持材１０１２とで構成されている。
保水材１０１０は、ヘルメット２０の外面に接触される内面１０１０Ａと、その反対の外面１０１０Ｂとを有する厚さを持ったシート状の材料である。
保水材１０１０は、吸水性繊維が用いられ、繊維加工機械で所定の厚さ、形状に形成されている。本実施の形態では、吸水性繊維として、東洋紡株式会社のランシールＦ（登録商標）が用いられている。
支持材１０１２は、通気性を有する厚さが薄い面状の材料で形成され、本実施の形態では、支持材１０１２として、合成繊維がメッシュ状に編み込まれたものを使用している。
支持材１０１２は、保水材１０１０の外面１０１０Ｂに配置され、保水材１０１０の外面１０１０Ｂを支持し保護している。
【００１６】
また、保水材１０１０の内面１０１０Ａの直線部１０２２と、保水材１０１０の内面１０１０Ａ及び外面１０１０Ｂの円弧部１０２４には、支持材１０１２とは別の繊維からなる細幅な補強繊維材１０１３が配置されている。
そして、直線部１０２２において保水材１０１０の内面１０１０Ａ及び外面１０１０Ｂを、支持材１０１２と補強繊維材１０１３で挟持し（縁取り）、保水材１０１０を保護している。
また、円弧部１０２４において補強繊維材１０１３により、保水材１０１０の内面及び外面を支持材１０１２と共に挟持し（縁取り）、保水材１０１０を保護している。
なお、図９、図１０を除いた図１〜図８および図１１〜図１６では、カバー本体１０２の構成を明瞭にするため、保水材１０１０と支持材１０１２とを区別せずに図示している。
冷却カバー１０の扇形分割体１０２Ａ〜１０２Ｄは、保水材１０１０を用いて形成されているので、冷却カバー１０に含まれる水分は長時間保持される。その結果、ヘルメット２０内部の温度上昇が抑制され、高温下などにおける使用者の負担を軽減することができる。
【００１７】
また、図７、図８、図１４に示すように、冷却カバー１０には、冷却カバー１０の装着状態で、複数の扇形分割体１０２０（１０２Ａ〜１０２Ｄ）をヘルメット２０の外面に接触する方向に付勢する付勢部材１０４が設けられている。付勢部材１０４は、冷却カバー１０の装着状態で複数の扇形分割体１０２Ａ〜１０２Ｄの円弧部１０２４の付近の箇所をヘルメット２０の開口の外周縁寄りの外面部分に接触する方向に付勢する。本実施の形態では、付勢部材１０として帯状のゴム材を用いている。このように幅を持った付勢部材１０４を用いることで、円弧部１０２４に沿って幅を持って延在する扇形分割体１０２の部分をヘルメット２０の開口の外周縁寄りの外面部分に付勢するようにし、冷却カバー１０の装着状態の安定化が図られている。
図７および図８に示すように、付勢部材１０４は、前付勢部材１０４Ａおよび後付勢部材１０４Ｂで構成され、複数の扇形分割体１０２Ａ〜１０２Ｄの内面（保水材１０１０の内面１０１０Ａ）に配置されている。付勢部材１０４を複数の扇形分割体１０２Ａ〜１０２Ｄの外面に配置してもよいが、内面に配置すると冷却カバー１０の装着状態で、前付勢部材１０４Ａおよび後付勢部材１０４Ｂは外から見えず、冷却カバー１０の外観性を高める上で有利となる。
【００１８】
前付勢部材１０４Ａは、左扇形分割体０１２Ｃの円弧部１０２４の前端と、右扇形分割体１０２Ｄの円弧部１０２４の前端とにわたって延在すると共にその延在方向の両端がそれらの箇所に取着され、かつ延在方向の中心部が前扇形分割体１０４Ａの円弧部１０２４の長さの中心の円弧部１０２４の箇所に取着されている。
すなわち、前付勢部材１０４Ａは、前扇形分割体１０２Ａに取着された中心箇所１０３４Ａから左扇形分割体１０２Ｃに取着された箇所１０３２Ａまでの長さと、前扇形分割体１０２Ａに取着された中心箇所１０３４Ａから右扇形分割体１０２Ｄに取着された箇所１０３２Ｂまでの長さが等しい。
後付勢部材１０４Ｂは、左扇形分割体１０２Ｃの円弧部１０２４の後端と、右扇形分割体１０２Ｄの円弧部１０２４の後端とにわたって延在すると共にその延在方向の両端がそれらの箇所に取着され、かつ延在方向の中心部が後扇形分割体１０２Ｂの円弧部１０２４の長さの中心の円弧部１０２４の箇所に取着されている。すなわち、後付勢部材１０４Ｂは前付勢部材１０４Ａと同様に、後扇形分割体１０２Ａに取着された中心箇所から左扇形分割体１０２Ｃに取着された箇所までの長さと、後扇形分割体１０２Ａに取着された中心箇所から右扇形分割体１０２Ｄに取着された箇所までの長さが等しい。
【００１９】
前後の付勢部材１０４Ａ，１０４Ｂは、冷却カバー１０の装着状態で、それぞれヘルメット２０により引き伸ばされ、前扇形分割体１０２Ａと後扇形分割体１０２Ｂの各円弧部１０２４の長手方向の中心箇所をヘルメット２０に押し付けるように機能する。また、左扇形分割体１０２Ｃと右扇形分割体１０２Ｄを、それらの円弧部１０２４の長手方向に沿って引っ張りつつヘルメット２０に押し付けるように機能する。
さらに、前付勢部材１０４Ａの延在方向の中心部（長手方向の中心部）１０３４Ａは、前扇形分割体１０２Ａの内面で円弧部１０２４の長手方向に沿った幅の中心箇所に取着されている。そのため、冷却カバー１０の装着状態で前付勢部材１０４Ａが引き伸ばされても、前付勢部材１０４Ａは、前扇形分割体１０２Ａの円弧部１０２４の長手方向の中心箇所を、常に、左扇形分割体１０２Ｃの円弧部１０２４の前端と右扇形分割体１０２Ｄの円弧部１０２４の前端との間の中心に位置させるように機能する。同様に、冷却カバー１０の装着状態で後付勢部材１０４Ｂが引き伸ばされても、後付勢部材１０４Ｂは、後扇形分割体１０２Ｂの円弧部１０２４の長手方向に沿った幅の中心箇所を、常に、左扇形分割体１０２Ｃの円弧部１０２４の後端と右扇形分割体１０２Ｄの円弧部１０２４の後端との間の中心に位置させるように機能する。
したがって、付勢部材１０４は、４つの扇形分割体１０２Ａ〜１０２Ｄの位置関係を正規の位置関係に維持する効果も奏し、図１３に示すように、冷却カバー１０の装着状態で扇形分割体１０２Ａ〜１０２Ｄは頂点１０２６を中心にして、それぞれ前後左右方向に均等にヘルメット２０に配置される。
【００２０】
なお、付勢部材１０４は、左右の付勢部材で構成するようにしてもよい。この場合には、左付勢部材は、前扇形分割体１０４Ａの円弧部１０２４の左端と、後扇形分割体１０４Ｂの円弧部１０２４の左端とにわたって延在すると共にその延在方向の両端がそれらの箇所に取着され、かつ延在方向の中心部が左扇形分割体１０２Ｃの円弧部１０２４の長さの中心の円弧部１０２４の箇所に取着される。また、右付勢部材は、前扇形分割体１０４Ａの円弧部１０２４の右端と、後扇形分割体１０４Ｂの円弧部１０２４の右端とにわたって延在すると共にその延在方向の両端がそれらの箇所に取着され、かつ延在方向の中心部が右扇形分割体１０２Ｄの円弧部１０２４の長さの中心の円弧部１０２４の箇所に取着される。
【００２１】
また、図１５および図１６に示すように、冷却カバー１０には脱落防止部材１０８が設けられている。図１、図３に示すように、ヘルメット２０の左右側部には脱落防止の顎紐２２が設けられているが、脱落防止部材１０８は、冷却カバー１０がヘルメット２０に装着された状態で、顎紐２２の内側を通って前後に延在し、冷却カバー１０がヘルメット２０から脱落するのを防止する。
より詳細には、脱落防止部材１０８は、左脱落防止部材１０８Ａと右脱落防止部材１０８Ｂとで構成される。左脱落防止部材１０８Ａは、前扇形分割体１０２Ａの円弧部１０２４の左後部１０２４Ａと後扇形分割体１０２Ｂの円弧部１０２４の左前部１０２４Ｂとにそれぞれ取着されそれらの先部に互いに係脱可能に係合する係合部１０８２Ａが設けられた可撓可能な一対の細長状部材１０８Ｄで構成されている。また、右脱落防止部材１０８Ｂは、前扇形分割体１０２Ａの円弧部１０２４の右後部１０２４Ｃと後扇形分割体１０２Ｂの円弧部１０２４の右前部１０２４Ｄとにそれぞれ取着されそれらの先部に互いに係脱可能に係合する係合部１０８２Ｂが設けられた可撓可能な一対の細長状部材１０８Ｅで構成されている。それら係合部１０８２Ａ、１０８２Ｂとして面ファスナーなどの従来公知の様々な係脱構造が採用可能であるが、本実施の形態では、細長状部材１０８Ｄ、１０８Ｅの長さ方向に沿った長さを有する面ファスナーを用いている。
冷却カバー１０をヘルメット２０に装着する際は、ヘルメット２０の左右側部に設けられた顎紐２２に対して、脱落防止部材１０８が内側（使用者に近い側）に位置するように、ヘルメット２０の前後方向に渡って脱落防止部材１０８を構成する各細長状部材１０８Ｄ、１０８Ｅを係合部１０８２Ａ、１０８２Ｂを介して連結する。これにより、冷却カバー１０がヘルメット２０から脱落することなく、使用者がヘルメット２０を被って移動する場合などでも継続的に冷却効果を得ることができる。
【００２２】
さらに、係合部１０８２Ａ、１０８２Ｂとして細長状部材１０８Ｄ、１０８Ｅの長さ方向に沿った長さを有する面ファスナーを用いている。そこで、一対の細長状部材１０８Ｄと一対の細長状部材１０８Ｅとを、それぞれ顎紐２２の内側（使用者に近い側）に挿通した際に、係合部１０８２Ａ、１０８２Ｂの係合箇所を細長状部材１０８Ｄ、１０８Ｅの長さ方向に変位させることで、それら一対の細長状部材１０８Ｄと一対の細長状部材１０８Ｅとを張った状態で連結できる。これにより図３に示すように、前扇形分割体１０２Ａの円弧部１０２４と後扇形分割体１０２Ｂの円弧部１０２４とを、左脱落防止部材１０８Ａと右脱落防止部材１０８Ｂによりそれぞれ円弧部１０２４の延在方向に沿って引っ張ることができる。したがって、冷却カバー１０の装着状態で、本実施の形態では、前後の付勢部材１０４Ａ，１０４Ｂにより、左右の扇形分割体１０２Ｃ，１０２Ｄがそれらの円弧方向１０２４に沿って引っ張られることから、カバー本体１０２を構成する全ての扇形分割体１０２０はそれらの円弧方向１０２４に沿って引っ張られることになり、全ての扇形分割体１０２がヘルメット２０の外面に沿って展開し、全ての扇形分割体１０２０でヘルメット２０の外面を覆う安定した状態の冷却カバー１０の装着状態を得る上で有利となる。
なお、図２に示すように、ヘルメットカバー３０を被せて冷却カバー１０を使用する場合、ヘルメットカバー３０に、ヘルメット２０からの脱落を防止するための脱落防止部材が設けられているので、冷却カバー１０の脱落防止部材１０８は省略可能である。
【００２３】
図１７は、冷却カバー１０の冷却効果に関する実験結果を示すグラフである。図１７は、本実施の形態にかかる冷却カバー１０を装着したヘルメットと、冷却カバー１０を装着しないヘルメットとに対して、ハロゲンランプの照射をおこなった。図１７において「ヘルメット内温度」は、ヘルメットの内部の温度を測定した結果であり、「ヘルメット裏温度」はヘルメット頭頂部の裏面の温度を測定した結果である。
図１７のグラフにおいて、縦軸は温度、横軸は時間である。環境温度を３２℃、湿度７０％とした上で、ヘルメット単体および冷却カバー１０を装着したヘルメットに対して、６２ｃｍ上方から２００Ｗのハロゲンランプを照射した。ハロゲンランプの照射時間は、時刻Ｔ０より２時間とした。また、冷却カバー１０は、水浸漬後、水滴が落ちない程度に絞った状態とした。
この結果、ハロゲンランプ照射中におけるヘルメット内部の温度の平均値は、ヘルメット単体で３７．８℃、冷却カバー１０を装着時には３２．４℃であり、冷却カバー１０を装着時の方が５．４℃低かった。また、ハロゲンランプ照射中におけるヘルメット裏面の温度の平均値は、ヘルメット単体で４３．９℃、冷却カバー１０を装着時には３４．４℃であり、冷却カバー１０を装着時の方が９．４℃低かった。
このように、水を含んだ冷却カバー１０をヘルメットに被せた場合、冷却カバー１０に保持された水の蒸散冷却作用によって、ヘルメット単体の場合に対してヘルメット内の温度上昇を低減することができる。
【００２４】
以上説明したように、実施の形態にかかる冷却カバー１０は、保水材１０１０と支持材１０１２とからなる複数の扇形分割体１０２０で形成されているので、保水材１０１０に水を含ませてヘルメット２０に装着することにより、蒸散熱によりヘルメット２０の外表面の熱が奪われ、ヘルメット２０内部の温度上昇が抑制される。これにより、ヘルメット２０を装着した使用者の高温下における負担を軽減することができる。
また、冷却カバー１０は、ヘルメット２０の大きさに合わせて扇形分割体１０２０の重なり合う部分の大きさが変化するので、１つの冷却カバー１０を異なる大きさのヘルメット２０に装着して使用することができる。
また、付勢部材１０４によって互いに対向する一対の扇形分割体１０２０をそれらの円弧部１０２４の長手方向に沿って引っ張り、複数の扇形分割体１０２０でヘルメット２０の外面を覆う安定した状態の冷却カバー１０の装着状態を得る上で有利となる。
また、付勢部材１０４は、複数の扇形分割体１０２０の位置関係を正規の位置関係に維持する効果も奏し、複数の扇形分割体１０２０でヘルメット２０の外面を覆う安定した状態の冷却カバー１０の装着状態を得る上で有利となる。
また、冷却カバー１０の装着状態で、付勢部材１０４は外から見えず、冷却カバー１０の装着状態における冷却カバー１０の外観性が高められている。
また、冷却カバー１０は、ヘルメット２０の顎紐２２の内側を通る左右の脱落防止部材１０８を備えるので、冷却カバー１０がヘルメット２０から脱落するのを防止することができ、冷却カバー１０の装着状態を安定させる上で有利となる。
また、左右の脱落防止部材１０８によって前後の扇形分割体１０２Ａ、１０２Ｂをそれらの円弧方向１０２４に沿って引っ張ることができ、扇形分割体１０２０でヘルメット２０の外面を覆う安定した状態の冷却カバー１０の装着状態を得る上で有利となる。
【符号の説明】
【００２５】
１０……冷却カバー、２０……ヘルメット、２２……顎紐、３０……ヘルメットカバー、１０２……カバー本体、１０２０……扇形分割体、１０２Ａ……前扇形分割体、１０２Ｂ……後扇形分割体、１０２Ｃ……左扇形分割体、１０２Ｄ……右扇形分割体、１０４……付勢部材、１０４Ａ……前付勢部材、１０４Ｂ……後付勢部材、１０８……脱落防止部材、１０８Ａ……左脱落防止部材、１０８Ｂ……右脱落防止部材、１０１０……保水材、１０１２……支持材、１０２２……直線部、１０２４……円弧部、１０２６……頂点。
【図１】
2015074834.tif 000003
【図２】
2015074834.tif 000004
【図３】
2015074834.tif 000005
【図４】
2015074834.tif 000006
【図５】
2015074834.tif 000007
【図６】
2015074834.tif 000008
【図７】
2015074834.tif 000009
【図８】
2015074834.tif 000010
【図９】
2015074834.tif 000011
【図１０】
2015074834.tif 000012
【図１１】
2015074834.tif 000013
【図１２】
2015074834.tif 000014
【図１３】
2015074834.tif 000015
【図１４】
2015074834.tif 000016
【図１５】
2015074834.tif 000017
【図１６】
2015074834.tif 000018
【図１７】
2015074834.tif 000019